(57)【要約】【課題】使いやすく、短時間で確実に手及び手指の常在菌を除去し効果的に洗浄することができる医療用洗浄用具を提供する。【解決手段】医療用洗浄用具１は、スポンジ１０からマイクロブラシ２０に貫通されている手指が入り込む大きさの２つの貫通孔が設けられている。医療用洗浄用具１は、１グラムから１．５グラムの洗剤が含有され、ヒートシールで密封され、電子線で滅菌され、医療現場で密封が開封され、スポンジ１０に水分を含有させ、貫通孔３０に一方の手の親指を入り込ませ、且つ、他の貫通孔３０に一方の手の人差し指を入り込ませ、マイクロブラシ２０をＵ字形にして、他方の手の手指を洗浄するように構成されている。【選択図】図１
0003212229.tif 000002
【実用新案登録請求の範囲】
【請求項１】
上面と下面と外周を有するスポンジと、前記スポンジと一体的に層状となるように前記上面に貼り付けられたマイクロブラシを有し、前記スポンジから前記マイクロブラシに貫通する手指が入り込む大きさの２つの貫通孔が設けられている医療用洗浄用具であって、予め定められた量の洗剤が含有され、ヒートシールで密封され、電子線で滅菌され、医療現場で、前記ヒートシールによる密封が開封され、前記洗剤が含有されている前記スポンジに水分を含有させ、手及び手指を洗浄するように構成されていることを特徴とする医療用洗浄用具。
【請求項２】
手の平サイズであり、前記手で把持される大きさであり、前記２つの貫通孔の一の貫通孔に前記下面から一方の手の親指を入り込ませ、且つ、前記２つの貫通孔の他の貫通孔に前記下面から前記一方の手の人差し指を入り込ませ、前記マイクロブラシをＵ字形にして、他方の手の手指を洗浄するように構成され、または前記２つの貫通孔の一つに前記下面から一方の手の人差し指を入り込ませ、前記一方の手の親指と中指で前記スポンジを挟み込み、他方の手を洗浄するように構成させていることを特徴とする請求項１に記載の医療用洗浄用具。
【請求項３】
前記スポンジは、前記外周が相対する半円柱状のウレタンスポンジで形成され、前記マイクロブラシは、ポリエステルで形成された略０．０４ｍｍの太さの微細ブラシを有する起立性繊維で形成されていることを特徴とする請求項１または請求項２に記載の医療用洗浄用具。
【請求項４】
前記２つの貫通孔は、それぞれに１または複数の切り込みが設けられていることを特徴とする請求項１から請求項３のいずれかに記載の医療用洗浄用具。
【請求項５】
前記予め定められた量の洗剤は、１グラムから１.５グラムの量の洗剤であり、さらに消毒薬が含有されていることを特徴とする請求項１から請求項４のいずれかに記載の医療用洗浄用具。
【考案の詳細な説明】
【技術分野】
【０００１】
本考案は、医療用洗浄用具に関する。
【背景技術】
【０００２】
医療現場において手指の洗浄は衛生管理の基本であり、この洗浄は日常的に行われており、手術の前においても手術中の感染症を予防するために衛生的な手指の洗浄が行われている。この衛生的な手指の洗浄は、手指に存在する細菌をできるだけ減少させ除去するためであり、例えば、洗浄成分を含有する消毒薬を使用してブラッシングすることで手指を洗浄している（特許文献参照）。
【先行技術文献】
【特許文献】
【０００３】
【特許文献１】特開２００７−１２５２０４号公報
【考案の概要】
【考案が解決しようとする課題】
【０００４】
医療現場での手指の洗浄は、石鹸をよく泡立てて流水を使用し、両手でこすり合わせて行う方法が一般的であり、爪の生え際、指紋などの細部に存在する常在菌などの除去は十分でないという問題があった。また、速乾性消毒剤を用いて両手にすり込むという方法も行われているが、手指の細部まで効果的に行うには長時間を要し、念入りに行わなければならないという問題があった。衛生的な手指洗浄を行う方法として、ブラシが用いられるが、ブラシの太さや硬さなどが起因して手荒れの原因になっている。
【０００５】
また、殺菌剤入り石鹸、液剤などを使用して外科的手術のときに手指洗浄が行われているが、爪の生え際、表皮のシワなどの細部に付着している細菌や汚れなどを十分に除去することが困難であり、また、７０％以上の細菌、汚れなどが爪の生え際周辺に付着しているといわれており、このためスポンジや爪ブラシなどが一般的に使用されている。しかし、そのブラシの線径が太く、細部にまで作用することができず効果的であるとはいえなかった。
【０００６】
このような状況において、短時間に洗浄の目的である殺菌、減菌などを行う必要があり、流水とともに石鹸、薬用液を使用するときに、よく泡立たせ爪の生え際など細部にわたり洗浄することが必要であり、極細で起立性に優れたソフトで手指の細部にまで作用するブラシが求められている。
【０００７】
そこで本考案は、このような課題を解決するためになされたもので、使いやすく、短時間で確実に手及び手指の常在菌を除去し効果的に洗浄することができる医療用洗浄用具を提供する。
【課題を解決するための手段】
【０００８】
上記課題を解決するために、本考案に係る医療用洗浄用具は、上面と下面と外周を有するスポンジと、前記スポンジと一体的に層状となるように前記上面に貼り付けられたマイクロブラシを有し、手指が入り込む大きさの前記スポンジから前記マイクロブラシに貫通する２つの貫通孔が設けられている医療用洗浄用具であって、予め定められた量の洗剤が含有され、ヒートシールで密封され、電子線で滅菌され、医療現場で、前記ヒートシールによる密封が開封され、前記洗剤が含有されている前記スポンジに水分を含有させ、手及び手指を洗浄するように構成されていることを特徴とする。
【０００９】
本考案に係る医療用洗浄用具の態様について、手の平サイズであり、前記手で把持される大きさであり、前記２つの貫通孔の一の貫通孔に前記下面から一方の手の親指を入り込ませ、且つ、前記２つの貫通孔の他の貫通孔に前記下面から前記一方の手の人差し指を入り込ませ、前記マイクロブラシをＵ字形にして、他方の手の手指を洗浄するように構成され、または前記２つの貫通孔の一つに前記下面から一方の手の人差し指を入り込ませ、前記一方の手の親指と中指で前記スポンジを挟み込み、他方の手を洗浄するように構成させていることが好ましく、前記スポンジは、前記外周が相対する半円柱状のウレタンスポンジで形成され、前記マイクロブラシは、ポリエステルで形成された略０．０４ｍｍの太さの微細ブラシを有する起立性繊維で形成されていることが好ましく、前記２つの貫通孔は、それぞれに１または複数の切り込みが設けられていることが好ましく、及び前記予め定められた量の洗剤は、１グラムから１.５グラムの量の洗剤であり、さらに消毒薬が含有されていることが好ましい。
【考案の効果】
【００１０】
本考案によれば、使いやすく、短時間で確実に手及び手指の常在菌を除去し効果的に洗浄する医療用洗浄用具を提供することができる。
【図面の簡単な説明】
【００１１】
【図１】実施形態の医療用洗浄用具を示す模式図である。
【図２】実施形態の医療用洗浄用具を説明する参考図である。
【考案を実施するための形態】
【００１２】
以下、本考案の医療用洗浄用具の実施形態を、図１及び図２を用いて説明する。
【００１３】
図１（ａ）は、実施形態の医療用洗浄用具１の上面の模式図であり、図１（ｂ）は、実施形態の医療用洗浄用具１の側面の模式図である。これらの図に示すように、医療用洗浄用具１は、上面１０ａと下面１０ｂと外周１０ｃを有するスポンジ１０と、このスポンジ１０と一体的に層状となるように上面１０ａに貼り付けられたマイクロブラシ２０を有している。
【００１４】
医療用洗浄用具１は、手の平サイズの大きさで、また手で把持することができる大きさであることが望ましいが、使用方法により適宜最適な大きさにするとよい。実施形態のスポンジ１０は、図に示すように外周１０ｃが相対する半円柱状を有するウレタンスポンジで形成されており、また、マイクロブラシ２０は、ポリエステルで形成された略０．０４ｍｍの太さの微細ブラシを有する起立性繊維で形成されており、このような構成の医療用洗浄用具１を用いることにより手指を確実に洗浄することができる。
【００１５】
また、医療用洗浄用具１は、スポンジ１０からマイクロブラシ２０に貫通する手指が入り込む大きさの２つの貫通孔３０が設けられている。貫通孔３０は、スポンジ１０の表面からマイクロブラシ２０に向かって形成されたスポンジ１０の内部を貫通する孔であり、例えば１０ｍｍ径程度の大きさの孔であることが望ましいが、適宜最適な大きさにするとよい。
【００１６】
貫通孔３０のそれぞれは、１または複数の切り込み４０を設けることができ、この例においては、貫通孔３０にむけて十字状の切り込み４０が設けられている。このような切り込み４０を有する貫通孔３０は、手指を差し入れ易く手指の太さに対して対応することができる。
【００１７】
上記の医療用洗浄用具１は、予め定められた量の洗剤、例えば１グラムから１．５グラムの洗剤が含有され、ヒートシールで密封され、電子線で滅菌されている。この医療用洗浄用具１は、医療現場において、ヒートシールによる密封が開封され、洗剤が含有されているスポンジ１０に水分を含有させることで手指などを洗浄するように構成されている。なお、医療用洗浄用具１は、洗剤の含有に加え、さらに消毒薬を含有させてもよい。このように消毒薬を用いることで洗剤では処理できない菌に対処することができる。
【００１８】
上記の構成を有する医療用洗浄用具は、下面１０ｂの方向から一の貫通孔の内部に一方の手の親指を入り込ませ、且つ、下面１０ｂの方向から他の貫通孔の内部に一方の手の人差し指を入り込ませ、これら親指と人差し指でマイクロブラシ２０を挟み込むことによりＵ字形にし、他方の手の手指を洗浄することができる。
【００１９】
すなわち、ブラシの無い方から２か所の貫通孔３０に親指と人差し指を入り込ませ、他方の手の手指を洗浄するために医療用洗浄用具１をこの手指に押し付けてＵ字形にし、この手指を左右に返転させ、そうしながらこの手指の元から先の部分、つまり爪の生え際に向かってスライドさせることにより、短時間で正確な洗浄ができる。
【００２０】
また、洗浄される手のフラットな面には、貫通孔３０の一つの内部に下面１０ｂの方向から一方の手の人差し指を入り込ませ、この一方の手の親指と中指でスポンジ１０の両サイドを挟み込んで、他方の手をブラッシングするとよい。
【００２１】
上記の医療用洗浄用具１は、医療現場、例えば手術前に、開封されたヒートシールから取り出され、適宜必要な量の水分を含有させ、軽くもむことで即起泡することができ、石鹸、洗剤などを別に用意する必要がなく、手及び手指を簡易に、短時間で確実に洗浄することができるものである。また、このような医療用洗浄用具１は、医療現場において、石鹸またはポンプ式洗浄剤のストックの必要がなく、細菌などの付着を回避でき、また洗剤の詰め替え作業なども回避することができる。
【００２２】
また、スポンジ１０及びマイクロブラシ２０を用いた医療用洗浄用具１は、単品で包装減菌されているため管理なども簡便であり、災害時、緊急時などにおける野外での医療行為においても衛生的に確実に手及び手指の洗浄を行うことができる。さらに、速乾性消毒剤を使用する場合においても適量をスポンジ１０に含有させ、そのまま手及び手指のすべての細部までブラッシングすることで短時間に薬剤を細部まで付着させ効果的に常在菌の消毒減菌を行うことができる。
【００２３】
また、流水を使用しないアルコール擦式製剤方式での手指消毒においては、薬剤を含有しヒートシールで密封され、電子線で減菌されているため、病院以外の医療設備のない現場で緊急治療を要する場合でも手指消毒を行うことが可能となる。
【００２４】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２５】
また、医療用洗浄用具の大きさや形状、素材の厚さ、重さなどについては多様な実施形態が可能であり、それらについて本実施形態と異なる形態による実施は、本考案の技術的範囲に含まれる。
【符号の説明】
【００２６】
１      医療用洗浄用具
１０      スポンジ
１０ａ    上面
１０ｂ    下面
１０ｃ    外周
２０      マイクロブラシ
３０      貫通孔
４０      切り込み
【図１】
0003212229.tif 000003
【図２】
0003212229.tif 000004